(57)【要約】【課題】電子計算機システムにおいて、複数の機器の稼動状態を容易に且つ具体的に把握できるようにする。【解決手段】電子計算機システム１は、箱体２ａ内に収納された多数の機器、機器の稼動状況を点灯状態で表示する表示部２ｃ、及び機器及び表示部２ｃを制御する制御部を有する本体部２と、表示画面３ａを有するディスプレイ装置３とを備える。機器は箱体２ａの前面に対向するように並置される。箱体２ａの前面は並置された機器に対向する領域２ｂに区分される。表示部２ｃは、領域２ｂの境界部分に配置されると共に、各領域のそれぞれに対応する一対のＬＥＤを有する。制御部は、機器の稼動時に、多数のＬＥＤの点灯を順次遷移させてこれを繰り返すよう制御すると共に、稼動中の機器を特定可能に複数のＬＥＤの点灯を制御する。【選択図】　図１
2004110671.tif 000002
【特許請求の範囲】
【請求項１】
箱体内に収納された機器、前記機器の稼動状況を点灯状態で表示する表示部、及び前記機器及び前記表示部を制御する制御部を有する本体部と、
表示画面を有するディスプレイ装置と、
前記本体部へデータを入力する入力装置とを備え、
前記機器は前記箱体の前面に対向するように複数並置され、
前記箱体は並置された前記各機器に対向する領域にその前面が区分され、
前記表示部は、前記各領域の境界部分に配置されると共に、前記各領域のそれぞれに対応するＬＥＤを有し、
前記制御部は、前記機器の稼動時に、多数の前記ＬＥＤの点灯を動きとして見せてこれを繰り返すよう制御する構成とした
ことを特徴とする電子計算機システム。
【請求項２】
箱体内に収納された機器、前記機器の稼動状況を点灯状態で表示する表示部、及び前記機器及び前記表示部を制御する制御部を有する本体部と、
表示画面を有するディスプレイ装置と、
前記本体部へデータを入力する入力装置とを備え、
前記機器は前記箱体の前面に対向するように複数並置され、
前記箱体は並置された前記各機器に対向する領域にその前面が区分され、
前記表示部は、前記各領域の境界部分に配置されると共に、前記各領域のそれぞれに対応するＬＥＤを有し、
前記制御部は、前記機器の稼動時に、稼動中の機器を特定可能に複数の前記ＬＥＤの点灯を制御する構成とした
ことを特徴とする電子計算機システム。
【請求項３】
箱体内に収納された機器、前記機器の稼動状況を点灯状態で表示する表示部、及び前記機器及び前記表示部を制御する制御部を有する本体部と、
表示画面を有するディスプレイ装置と、
前記本体部へデータを入力する入力装置とを備え、
前記機器は前記箱体の前面に対向するように複数並置され、
前記箱体は並置された前記各機器に対向する領域にその前面が区分され、
前記表示部は、前記各領域の境界部分に配置されると共に、前記各領域のそれぞれに対応する一対のＬＥＤを有し、
前記制御部は、前記機器の稼動時に、多数の前記ＬＥＤの点灯を順次遷移させてこれを繰り返すように制御すると共に、稼動中の機器を特定可能に多数の前記ＬＥＤの点灯を制御する構成とした
ことを特徴とする電子計算機システム。
【請求項４】
請求項１から３の何れかにおいて、前記機器は前面中央部を中心として周方向に多数並置され、前記領域は前記機器に対向して周方向に並置され、前記表示部は前記機器の中心部に位置すると共に各機器に対向する領域の境界部分にまたがって前面中央部に配置されたことを特徴とする電子計算機システム。
【請求項５】
請求項４において、前記本体部は電源スイッチを備え、前記電源スイッチは前記表示部の中央部に配置されたことを特徴とする電子計算機システム。
【請求項６】
請求項１から５の何れかにおいて、前記箱体は薄型に形成され、前記機器は前記箱体の前面に対向して上下左右の四箇所に並置され、前記領域は並置された四箇所の機器に対向する四つの領域に区分され、前記表示部は四つの領域の境界部分が交差する部分に配置されたことを特徴とする電子計算機システム。
【請求項７】
請求項３から６の何れかにおいて、前記領域は前記機器に対応する扉またはカバーによって区分されたことを特徴とする電子計算機システム。
【請求項８】
請求項１から７の何れかにおいて、前記機器はディスク装置及びＨＤＤ装置等の記憶装置や外部との通信機能を有する外部インターフェース等であることを特徴とする電子計算機システム。
【請求項９】
箱体内に前面に対向して並置された複数の機器、前記機器の稼動状況を点灯状態で表示するＬＥＤを有する表示部、及び前記機器及び前記表示部を制御する制御部を有する本体部と、表示画面を有するディスプレイ装置と、前記本体部へデータを入力する入力装置とを備えた電子計算機システムの稼動状況表示方法において、
前記各機器に対向する領域の境界部分に配置された多数のＬＥＤを、前記機器の稼動時に順次遷移させて点灯しこれを一定の動きとして見えるようにした
ことを特徴とする電子計算機システムの稼動状況表示方法。
【請求項１０】
箱体内に前面に対向して並置された複数の機器、前記機器の稼動状況を点灯状態で表示するＬＥＤを有する表示部、及び前記機器及び前記表示部を制御する制御部を有する本体部と、表示画面を有するディスプレイ装置と、前記本体部へデータを入力する入力装置とを備えた電子計算機システムの稼動状況表示方法において、
複数の前記機器に対向する領域の境界部分に配置された複数のＬＥＤを、稼動中の機器を特定可能に点灯するようにした
ことを特徴とする電子計算機システムの稼動状況表示方法。
【請求項１１】
箱体内に前面に対向して並置された複数の機器、前記機器の稼動状況を点灯状態で表示するＬＥＤを有する表示部、及び前記機器及び前記表示部を制御する制御部を有する本体部と、表示画面を有するディスプレイ装置と、前記本体部へデータを入力する入力装置とを備えた電子計算機システムの稼動状況表示方法において、
前記各機器に対向する領域の境界部分に配置された多数の一対のＬＥＤを、前記機器の稼動時に、多数の前記ＬＥＤの一方の点灯を順次遷移させてこれを一定の動きとして見えるようにすると共に、稼動中の機器を特定可能に点灯するようにした
ことを特徴とする電子計算機システムの稼動状況表示方法。
【発明の詳細な説明】
【０００１】
【発明の属する技術分野】
本発明は、電子計算機システム及びその稼動状況表示方法に係り、特にシステムの稼動状況を表示する表示部を備えた電子計算機システム及びその稼動状況表示方法に好適なものである。
【０００２】
【従来の技術】
従来の電子計算機システムは、特開２００２−１０８４８６号公報（特許文献１）に開示されているように、本体部と、ディスプレイ装置と、キーボードと、リモコンと、マウスとを備えて構築されているものがある。そして、本体部は、ＬＥＤ及び小画面の液晶ディスプレイよりなる細長のサブ表示部を前面に設けると共に、コントローラ、ディスクドライブ装置及びＣＤドライブ装置を含む各種構成要素を内蔵して構成されている。また、ディスプレイ装置は、スタンド部材上に配置されると共に、大画面の液晶ディスプレイよりなるメイン表示部及びスピーカーを備えて構成されている。
【０００３】
【特許文献１】
特開２００２−１０８４８６号公報（第７−８頁、図１６−１７）
【０００４】
【発明が解決しようとする課題】
しかし、特許文献１の電子計算機システムでは、本体に内蔵されている各種構成要素に対向するようにＬＥＤ及びサブ表示部が配置されていないと共に、ＬＥＤの単なる表示及び小画面のサブ表示部による動作表示であるために、各構成要素の稼動状況を容易にかつ具体的に把握することが難しいという課題がある。
【０００５】
本発明の目的は、複数の機器の稼動状態を容易に且つ具体的に把握できる使い勝手の良好な電子計算機システム及びその稼動状況表示方法を提供することにある。
【０００６】
【課題を解決するための手段】
上記した目的を達成するために、本発明は、箱体内に収納された機器、前記機器の稼動状況を点灯状態で表示する表示部、及び前記機器及び前記表示部を制御する制御部を有する本体部と、表示画面を有するディスプレイ装置と、前記本体部へデータを入力する入力装置とを備え、前記機器は前記箱体の前面に対向するように複数並置され、前記箱体は並置された前記各機器に対向する領域にその前面が区分され、前記表示部は、前記各領域の境界部分に配置されると共に、前記各領域のそれぞれに対応するＬＥＤを有し、前記制御部は、前記機器の稼動時に、多数の前記ＬＥＤの点灯を動きとして見せてこれを繰り返すよう制御する構成としている。
上記した目的を達成するために、本発明は、箱体内に収納された機器、前記機器の稼動状況を点灯状態で表示する表示部、及び前記機器及び前記表示部を制御する制御部を有する本体部と、表示画面を有するディスプレイ装置と、前記本体部へデータを入力する入力装置とを備え、前記機器は前記箱体の前面に対向するように複数並置され、前記箱体は並置された前記各機器に対向する領域にその前面が区分され、前記表示部は、前記各領域の境界部分に配置されると共に、前記各領域のそれぞれに対応するＬＥＤを有し、前記制御部は、前記機器の稼動時に、稼動中の機器を特定可能に複数の前記ＬＥＤの点灯を制御する構成としている。
上記した目的を達成するために、本発明は、箱体内に収納された機器、前記機器の稼動状況を点灯状態で表示する表示部、及び前記機器及び前記表示部を制御する制御部を有する本体部と、表示画面を有するディスプレイ装置と、前記本体部へデータを入力する入力装置とを備え、前記機器は前記箱体の前面に対向するように複数並置され、前記箱体は並置された前記各機器に対向する領域にその前面が区分され、前記表示部は、前記各領域の境界部分に配置されると共に、前記各領域のそれぞれに対応する一対のＬＥＤを有し、前記制御部は、前記機器の稼動時に、多数の前記ＬＥＤの点灯を順次遷移させて一定の動きに見えるように制御すると共に、稼動中の機器を特定可能に多数の前記ＬＥＤの点灯を制御する構成としている。
【０００７】
【発明の実施の形態】
以下、本発明の実施の形態を、図面を用いて説明する。
【０００８】
本発明の一実施形態に係る電子計算機システムの概要を、図１を参照しながら説明する。本実施形態の電子計算機システム１は、本体部２、ディスプレイ装置３及び入力装置４を備えて構成され、パソコンとしての機能を有している。本体部２とディスプレイ装置３とは配線３ａを介して接続され、データの送受信及び電力の供給が行なわれるようになっている。入力装置４は、キーボード５、マウス６及びリモコン（図示せず）等より構成されている。本体部２は、配線５ａを介してキーボード５と接続されると共に、配線６ａを介してマウス６と接続され、キーボード５及びマウス６で入力されたデータを取り込むようになっている。キーボード５と本体部２とはワイヤレスで接続するようにしてもよい。
【０００９】
本体部２は薄型（細長）で略矩形の箱体２ａ内に複数の機器を収納して構成されている。本体部２の前面は複数の領域２ｂに区分されている。この領域２ｂは、上下左右に区分され、箱体２ａの前面の中央部を中心にして周方向に並べられて配置されている。領域２ｂは、機器に対応して開閉可能な扉やカバーで構成されている。以下では扉及びカバーを領域と同じ符号２ｂを用いて説明する。
【００１０】
本体部２の前面の中央部にはシステムの稼動状況を点灯状態で表示する表示部２ｃが設けられている。この表示部２ｃは各領域２ｂに対応して点灯するように設けられ、具体的には各領域２ｂの境界線が交差する部分（箱体２ａの前面中央部分）に円環状に形成されている。また、表示部２ｃの中央部には電源スイッチ２ｄが配置されている。電源スイッチ２ｄの内部には発光色が異なる一対のＬＥＤ（オレンジ色ＬＥＤ及び緑色ＬＥＤ）が配置され、そのＬＥＤの点灯状態が電源スイッチ２ｄの前方から視認できるようになっている。電源スイッチ２ｄは必ずしも光らせる必要はなく、少なくとも表示部２ｃが光るような構成とすればよい。なお、表示部２ｃ及び電源スイッチ２ｄは箱体２ａの前面より若干凹んだ状態で設けられている。
【００１１】
ディスプレイ装置３は、前面部に表示画面３ａ、スピーカー３ｂ、リモコン受光部３ｃ及び電源スイッチ３ｄを備えて構成されている。表示画面３ａは、ＬＣＤで構成され、文字、画像及び映像を表示する。スピーカー３ｂは、表示画面３ａの両側に配置され、音声を出力する。
【００１２】
電子計算機システム１のさらに具体的構成を、図２を参照しながら説明する。
【００１３】
本体部２は、外部インターフェース２ｅ、第１の光ディスク装置２ｆ、第２の光ディスク装置２ｇ及びＨＤＤ装置２ｈ等からなる機器と、電源２ｉと、制御部２ｊと、表示部２ｃと、電源スイッチ２ｄとを備えて構成されている。
【００１４】
制御部２ｊは、制御ボードで構成され、電子計算機システム１の主要な制御を司るものである。表示部２ｃは、制御部２ｊに接続され、制御部２ｊの制御によって所定の点灯表示が行なわれる。電源スイッチ２ｄ及び電源２ｉは制御部２ｊに接続され、電源スイッチ２ｄの操作によって電源２ｉの入切が行なわれる。外部インターフェース２ｅ、第１の光ディスク装置２ｆ、第２の光ディスク装置２ｇ及びＨＤＤ装置２ｈは、演算やデータの記録、再生、データの送受信等を行なう機器を構成するものであり、箱体２ａ内に収納されている。
【００１５】
外部インターフェース２ｅは外部機器と制御部２ｊとを接続可能とするインターフェース機能を備えている。この外部インターフェース２ｅには、キーボード５、マウス６、ヘッドホン７、マイク８、ネットワーク９及びＡＶ機器１０等からなる外部機器が接続される。キーボード５、マウス６、ネットワーク９及びＡＶ機器１０は入力装置を構成し、ヘッドホン７、マイク８、ネットワーク９及びＡＶ機器１０は出力装置を構成する。ＡＶ機器１０はテレビやオーディオ機器等で構成されており、電子計算機システム１はＡＶ機器としても動作するようになっている。
【００１６】
ディスプレイ装置３は、表示画面３ａ、スピーカー３ｂ、リモコン受光部３ｃ、電源スイッチ３ｄ、進行状況表示部３ｅ、外部インターフェース３ｆ、電源３ｇ等が制御部３ｈに接続されて構成されている。制御部３ｈは、制御ボードで構成されており、ディスプレイ装置３の制御を司っている。外部インターフェース３ｆには外部インターフェース２ｅ、マウス６、ヘッドホン７及びマイク８が外部機器として接続される。
【００１７】
キーボード５は、キー５ａ、ショートカットキー５ｂ及び外部インターフェース５ｃ等を備えて構成されている。外部インターフェース５ｃには外部インターフェース２ｅ、マウス６、ヘッドホン７及びマイク８が外部機器として接続される。
【００１８】
次に、本体部２の具体的構造を、図３から図８を参照しながら説明する。
【００１９】
データを送受信する機器２ｅ〜２ｈは、本体部２の箱体２ａ内に前面に対向して複数並置されていると共に、前面中央部を中心軸として周方向に並ぶように多数配置されている。具体的には機器２ｅ〜２ｈは箱体２ａの前面に対向して上下左右の四箇所に配置されている。
【００２０】
箱体２ａの前面に形成される領域２ｂは機器２ｅ〜２ｈに対向して複数に区分されるように設けられている。具体的には領域２ｂは四箇所の機器２ｅ〜２ｈに対応して上下左右の四つに区分されている。
【００２１】
表示部２ｃは各領域２ｂの境界部分に配置されている。具体的には表示部２ｃは、円環状に形成されて領域２ｂの境界の交差する部分に配置され、機器２ｅ〜２ｈの中心部に位置すると共に箱体２ａの前面中央部に位置している。
【００２２】
電源２ｉは機器２ｆ、２ｇの後方に配置されている。制御部２ｊは箱体２ａ内の一角に位置して前後に延びて配置されている。外部インターフェース２ｅは、制御部２ｊの前後に搭載されると共に、前側の外部インターフェース２ｅが領域２ｂの一つに対向している。
【００２３】
箱体２ａの前面は、図６及び図７から明らかなように、第１の光ディスク装置２ｆに対応する扉２ｂと、第２の光ディスク装置２ｇに対応する扉２ｂと、ＨＤＤ装置２ｈに対応するカバー２ｂと、外部インターフェース２ｅ及び制御部２ｊに対応する扉２ｂとを備えている。これらの扉２ｂ及びカバー２ｂは、箱体２ａの前面を区分した領域を構成しているので、領域の認識が容易にできる。
【００２４】
第１の光ディスク装置２ｆ及び第２の光ディスク装置２ｇに対応する扉２ｂは、通常、図６（ａ）に示すように閉じられているが、図６（ｂ）に示すように同一方向に開放されることによって第１の光ディスク装置２ｆ及び第２の光ディスク装置２ｇを容易に取り出すことができる。なお、これらの扉２ｂを図８（ａ）、（ｂ）に示すように両側に開閉できるようにすることにより、第１の光ディスク装置２ｆ及び第２の光ディスク装置２ｇの取り出しをより一層容易に行なうことができる。
【００２５】
次に、表示部２ｃの具体的構造を、図９から図１１を参照しながら説明する。表示部２ｃは、円環状のレンズ２ｃ１と、多数のＬＥＤ２ｃ２とを備えて構成されている。このＬＥＤ２ｃ２は、それぞれ一対の発光色の異なるＬＥＤ（緑色ＬＥＤ及び青色ＬＥＤ）で構成されている（図９（ｂ）参照）。図９（ｂ）では、緑色ＬＥＤが小さく、青色ＬＥＤが大きく図示してあるが、同じ大きさのものを用いてもよい。レンズ２ｃ１は箱体２ａの前面に露出して配置され、ＬＥＤ２ｃ２はレンズ２ｃ１の後方に対向して円周状に配置されている。ＬＥＤ２ｃ２は、各領域２ｂに対応して設けられていると共に、その中間にも設けられている。ＬＥＤ２ｃ２の点灯状態は制御部２ｊにより制御される。
【００２６】
なお、表示部２ｃの形状は、図１１（ａ）〜（ｆ）に示すように種々の形状が考えられる。
【００２７】
次に、表示部２ｃの具体的点灯モードを図１２から図１７を参照しながら説明する。これらの図における点灯モードは制御部２ｊによって選択的に制御される。
【００２８】
電源２ｉが完全に切れている状態から起動状態までを、図１２を参照しながら説明する。
【００２９】
電源２ｉが完全に切れている状態（本体部２の電源プラグをコンセントに挿していない状態）では、図１２（ａ）に示すように本体部２ａの前面はどこも光っていない状態（表示部２ｃ及び電源スイッチ２ｄが発光していない状態）となっている。
【００３０】
この状態から本体部２の電源プラグをコンセントに挿して本体部２に通電だけを行なうと、図１２（ｂ）に示すように左下の領域（ＨＤＤ装置２ｈ及び電源２ｉに対応する領域）２ｂに対応する緑色ＬＥＤが点灯する。これによって、利用者は本体部２に通電だけされた待機状態であることが容易に把握できる。
【００３１】
この状態から本体部２の電源スイッチ２ｄを押すと、図１２（ｃ）に示すように表示部２ｃの全体が淡く緑色に光るように緑色ＬＥＤが点灯されると共に、左上の領域（第１の光ディスク装置２ｆに対応する領域）２ｂと右上の領域（第２の光ディスク装置２ｇに対応する領域）２ｂとの中間部に位置する青色ＬＥＤが点灯され、起動が始まる。これによって、利用者は本体部２の起動の開始を容易に把握できる。なお、右下の領域２ｂは外部インターフェース２ｅ及び制御部２ｊに対応する領域である。
【００３２】
この全体が淡く緑色に光る状態の中を、図１２（ｄ）に示すように青色ＬＥＤの点灯が一回転してこれを繰り返すように制御される（矢印参照）。これによって、利用者は本体部２が起動中であることを容易に把握できる。
【００３３】
そして、起動状態になると、図１２（ｅ）に示すように青色ＬＥＤが消灯されて表示部２ｃの全体が淡く緑色に光る緑色ＬＥＤの点灯のみとなる。これによって、利用者は本体部２が起動状態になったことを容易に把握できる。
【００３４】
電源２ｉが待機状態から起動状態までの別のモードを、図１３を参照しながら説明する。
【００３５】
電源２ｉが待機状態では、図１３（ａ）に示すように電源スイッチ２ｄの中央部のみが点灯した状態となっている。電源スイッチ２ｄの中央部にマークをつけてこのマークが点灯するようにしてもよく、この場合には点灯状態の把握がより一層明確になる。
【００３６】
この状態から本体部２の電源スイッチ２ｄを押すと、図１３（ｂ）に示すように青色ＬＥＤの点灯が一回転するように制御される（矢印参照）。この青色ＬＥＤの点灯の回転は、起動中に連続して行なわれ、その回転する時間は起動時間と合致するように制御される。これによって、利用者は本体部２が起動中であることを容易に把握できる。
【００３７】
そして、起動状態になると、図１３（ｃ）に示すように、青色ＬＥＤが消灯すると共に、表示部２ｃの全体が淡く緑色に光る緑色ＬＥＤの点灯と電源スイッチ２ｄの中央部の点灯のみとなる。これによって、利用者は本体部２が起動状態になったことを容易に把握できる。
【００３８】
表示部２ｃの全体が淡く緑色に光る起動状態において、機器２ｅ〜２ｈが稼動された時の表示部２ｃの点灯状態を、図１４を参照しながら説明する。図１４（ａ）〜（ｆ）は異なるモードの点灯状態を示す。
【００３９】
ＨＤＤ装置２ｈが稼動されている状態を図１４（ａ）に示す。この状態では、左上及び右上の領域２ｂに対応する緑色ＬＥＤが淡く点灯しつつ、左下及び右下の領域２ｂに対応する緑色ＬＥＤが濃く点灯すると共に、前述したのと同様に青色ＬＥＤがぐるぐると回転するように点灯する。即ち、ＨＤＤ装置２ｈの稼動時に、稼動中のＨＤＤ装置２ｈ側を特定可能に緑色ＬＥＤが濃淡で点灯されると共に、多数の青色ＬＥＤの点灯が順次遷移されてこれが繰り返される。これによって、利用者はＨＤＤ装置２ｈ側が稼動中であることを容易に且つ具体的に把握できる。なお、濃く点灯する緑色ＬＥＤを下半分にして視認を容易に行なえるようになっているが、必要に応じて、左下の緑色ＬＥＤのみを濃く点灯するようにしてＨＤＤ装置２ｈのみを特定することができるようにしてもよい。このことは、図１４（ｂ）の点灯モードにおいても適用される。
【００４０】
第１の光ディスク装置２ｆまたは第２の光ディスク装置２ｇが稼動されている状態を図１４（ｂ）に示す。この状態では、左下及び右下の領域２ｂに対応する緑色ＬＥＤが淡く点灯しつつ、左上及び右上の領域２ｂに対応する緑色ＬＥＤが濃く点灯すると共に、青色ＬＥＤがぐるぐると回転するように点灯する。これによって、利用者は第１の光ディスク装置２ｆ、第２の光ディスク装置２ｇ側が稼動中であることを容易に且つ具体的に把握できる。
【００４１】
本体部２全体が稼動されている状態を図１４（ｃ）に示す。この状態では、全ての領域２ｂに対応する緑色ＬＥＤが濃く点灯すると共に、青色ＬＥＤがぐるぐると回転するように点灯する。これによって、利用者は本体部２全体が稼動中であることを容易に且つ具体的に把握できる。
【００４２】
ＨＤＤ装置２ｈが稼動されている状態の異なるモードを図１４（ｄ）に示す。この状態では、左上及び右上の領域２ｂに対応する緑色ＬＥＤが淡く点灯しつつ、左下及び右下の領域２ｂに対応する緑色ＬＥＤが濃く点灯し、青色ＬＥＤが消灯している。これによって、利用者はＨＤＤ装置２ｈが稼動中であることを具体的に把握できると共に、青色ＬＥＤのオンオフ回数を低減することができる。
【００４３】
第１の光ディスク装置２ｆまたは第２の光ディスク装置２ｇが稼動されている状態の異なるモードを図１４（ｅ）に示す。この状態では、左下及び右下の領域２ｂに対応する緑色ＬＥＤが淡く点灯しつつ、左上及び右上の領域２ｂに対応する緑色ＬＥＤが濃く点灯し、青色ＬＥＤが消灯している。これによって、利用者は第１の光ディスク装置２ｆまたは第２の光ディスク装置２ｇが稼動中であることを具体的に把握できると共に、青色ＬＥＤのオンオフ回数を低減することができる。
【００４４】
本体部２のスリープ状態における表示部２ｃの点灯状態を、図１５を参照しながら説明する。図１５（ａ）〜（ｂ）は異なるモードの点灯状態を示す。
【００４５】
スリープ状態の第１のモードを図１５（ａ）に示す。この状態では、上段に示すように表示部２ｃの全体の緑色ＬＥＤが所定時間だけ淡く点灯された後、下段に示すように全体の緑色ＬＥＤが所定時間だけ濃く点灯され、この淡濃の点灯の繰り返しがスリープ状態の間継続される。これによって、利用者は電子計算機システム１がスリープ中であることを容易に把握できる。そして、濃淡の点灯の繰り返す間隔を変え、その間隔が短い場合を浅いスリープ状態、長い場合を深いスリープ状態と設定してある。これによって、利用者は電子計算機システム１のスリープ状態の深さを把握できる。
【００４６】
スリープ状態の第２のモードを図１５（ｂ）に示す。この状態では、上段に示すように表示部２ｃの全体が所定時間だけ消灯した後、下段に示すように全体の緑色ＬＥＤが所定時間だけ濃く点灯され、この消灯と濃く点灯との繰り返しがスリープ状態の間継続される。これによって、利用者は電子計算機システム１がスリープ中であることを容易に把握できる。
【００４７】
また、第１のモードと第２のモードを組み合わせることにより、第１のモードを浅いスリープ状態、第２のモードを深いスリープ状態としてスリープ状態の深さを表すことができる。
【００４８】
稼動中の機器２ｅ〜２ｈの送信側及び受信側を特定可能にする点灯状態を、図１６を参照しながら説明する。図１６（ａ）〜（ｂ）は異なるモードの点灯状態を示す。
【００４９】
稼動中の送信側ＨＤＤ装置２ｈ及び受信側外部インターフェース２ｅを特定可能にする点灯状態のモードを図１６（ａ）に示す。この状態では、送信側のＨＤＤ装置２ｈに対応する青色ＬＥＤが点灯し、受信側の外部インターフェース２ｅに点灯が順次遷移してこれを繰り返すように制御される（矢印参照）。これによって、利用者は、複数の機器２外部インターフェース２ｅの稼動状態を具体的に把握でき、これに基づいて次の操作に容易に移行でき、使い勝手が良好となる。
【００５０】
稼動中の送信側外部インターフェース２ｅ及び受信側第２の光ディスク装置２ｇを特定可能にする点灯状態のモードを図１６（ａ）に示す。この状態では、送信側の外部インターフェース２ｅに対応する青色ＬＥＤが点灯し、受信側の第２の光ディスク装置２ｇに点灯が順次遷移してこれを繰り返すように制御される（矢印参照）。これによって、利用者は、複数の機器２ｅ、２ｇの稼動状態を具体的に把握でき、これに基づいて次の操作に容易に移行でき、使い勝手が良好となる。
【００５１】
機器のタスクの完了を表示するディスプレイ表示部３ｃの点灯状態を、図１７を参照しながら説明する。図１７（ａ）〜（ｃ）はディスプレイ表示部３ｃの異なるモードの点灯状態を示す。
【００５２】
図１７（ａ）はＨＤＤ装置２ｈへの記録のタスク終了動作を示し、ＨＤＤ装置２ｈに対応する青色ＬＥＤが短時間のみ点滅する。図１７（ｂ）は外部インターフェース２ｅへのメール着信動作を示し、外部インターフェース２ｅに対応する青色ＬＥＤが短時間のみ点滅する。図１７（ｃ）は第１の光ディスク装置２ｆへの書込みのタスク終了動作を示し、第１の光ディスク装置２ｆに対応する青色ＬＥＤが短時間のみ点滅する。これらの動作では、青色ＬＥＤが終了または着信などの瞬間の短時間のみ点滅して目を引く動作を行い、その後は領域に合わせて青色ＬＥＤが点灯状態となる。これによって、ディスプレイ表示部３ｃに表示される動作状態を利用者が作業中に落ち着いて視認することができる。なお、このディスプレイ表示部３ｃをキーボード５に設けるようにしてもよい。
【００５３】
本実施形態の電子計算機システムによれば、機器２ｅ〜２ｈは箱体２ａの前面に対向するように複数並置され、箱体２ａは並置された各機器２ｅ〜２ｈに対向する領域２ｂにその前面が区分され、表示部２ｃは各領域２ｂの境界部分に配置されると共に各領域のそれぞれに対応するＬＥＤ２ｃ２を有し、制御部２ｊは機器２ｅ〜２ｈの稼動時に多数のＬＥＤ２ｃ２の点灯を順次遷移させてこれを繰り返すよう制御すると共に稼動中の機器を特定可能に複数のＬＥＤの点灯を制御する構成としているので、複数の機器２ｅ〜２ｈの稼動状態を容易に且つ具体的に把握できる使い勝手の良好な電子計算機システム１を提供することができる。
【００５４】
また、本実施形態の電子計算機システムによれば、表示部２ｃは複数の機器２ｅ〜２ｈに対応するＬＥＤ２ｃ２とこれらのＬＥＤ２ｃ２の間に配置されたＬＥＤ２ｃ２とを有し、制御部２ｊは送信側機器に対応するＬＥＤ側から前記受信側機器に対応するＬＥＤ側へ順次点灯させることを繰り返すように制御する構成としているので、液晶小画面による表示と比較して、安価でしかも機器２ｅ〜２ｈの稼動状態の特定が極めて容易である。
【００５５】
さらに、本実施形態の電子計算機システムによれば、機器２ｅ〜２ｈは本体部２の箱体２ａ内に前面に対向して並置され、本体部２の箱体２ａの前面は並置された機器２ｅ〜２ｈに対応する領域に区分され、表示部２ｃは区分された領域に対応するように設けられ、制御部２ｊは表示部２ｃに点灯状態を稼動中の機器２ｅ〜２ｈの送信側に対応する領域から受信側に対応する領域に遷移させることを繰り返すように制御する構成としているので、稼動中の機器２ｅ〜２ｈをより一層容易に特定することができる。
【００５６】
さらに、本実施形態の電子計算機システムによれば、機器２ｅ〜２ｈは前面中央部に対して周方向に並ぶように多数配置され、領域は機器２ｅ〜２ｈに対向して周方向に並ぶように設けられ、表示部２ｃは機器２ｅ〜２ｈの中心部に位置して各機器２ｅ〜２ｈに対応する領域にまたがって前面中央部に配置されているので、表示部２ｃを機器２ｅ〜２ｈの間のスペースを有効に利用して設置できると共に、表示部２ｃが見やすい場所に設置されることとなる。
【００５７】
次に、本発明の第２の実施形態を、図１８を参照しながら説明する。図１８（ａ）は第２の実施形態の第１の例であり、図１８（ｂ）は第２の実施形態の第２の例である。この第２の実施形態は、次に述べる通り第１の実施形態と相違するものであり、その他の点については第１の実施形態と基本的には同一である。
【００５８】
図１８（ａ）の第１の例においては、縦長の本体部２の上部右側に第１の光ディスク装置および第２の光ディスク装置に対応する領域２ｂが区分して設けられると共に、ＨＤＤ装置および外部インターフェースに対応する領域２ｂが区分して設けられている。これらの領域２ｂに対応して表示部２ｃが設けられている。表示部２ｃは、上下に配置された領域２ｂに隣接して上下に延びて設けられている。表示部２ｃ内には、第１の光ディスク装置、第２の光ディスク装置、ＨＤＤ装置および外部インターフェースのそれぞれの稼動状態を表示するＬＥＤ２ｃ２が上下に並置されている。第１の光ディスク装置および第２の光ディスク装置の稼動状態を表示するＬＥＤ２ｃ２は上段の領域２ｂに対応して配置されると共に、ＨＤＤ装置および外部インターフェースの稼動状態を表示するＬＥＤ２ｃ２は下段の領域２ｂに対応して配置されている。これらのＬＥＤ２ｃ２の色の濃淡で各機器の稼動状態が表示される。例えば、第１の光ディスク装置と第２の光ディスク装置が稼動している状態では、ＬＥＤ２ｃ２の濃淡で稼動状態を表示すると共に、表示部２ｃ内で上（第１の光ディスク装置）から下（第２の光ディスク装置）、あるいは下（第２の光ディスク装置）から上（第１の光ディスク装置）に向かって、直線的な動きを見せるように表示されるようになっている。
【００５９】
この第１の例によれば、表示部２ｃが各領域２ｂに広い範囲にわたって対応しているので、稼動中の機器の特定が極めて容易である。また、複数の光ディスク装置を纏めた領域２ｂとＨＤＤ装置の領域２ｂとに区分しているので、機器の種類に応じた稼動状態を容易に視認することができ、使い勝手が良好である。
【００６０】
図１８（ｂ）の第２の例においては、本体部２の右側に機器に対応する領域２ｂが設けられると共に、その左側に隣接して表示部２ｃが設けられている。領域２ｂは、第１の光ディスク装置に対応する領域２ｂが最上段に、第２の光ディスク装置に対応する領域２ｂがその下に、ＨＤＤ装置に対応する領域２ｂがその下に、外部インターフェースに対応する領域２ｂが最下段に、それぞれ区分して設けられている。これらの領域２ｂに対応して表示部２ｃが設けられている。表示部２ｃは、上下に配置された領域２ｂの全部に隣接して上下に延びて設けられている。表示部２ｃ内には、第１の光ディスク装置、第２の光ディスク装置、ＨＤＤ装置および外部インターフェースのそれぞれの稼動状態を表示するＬＥＤ２ｃ２がそれぞれの領域２ｂに対応して上下に並置されている。これらのＬＥＤ２ｃ２の色の濃淡で各機器の稼動状態が表示される。例えば、第１の光ディスク装置と第２の光ディスク装置が稼動している状態では、ＬＥＤ２ｃ２の濃淡で稼動状態を表示すると共に、表示部２ｃ内で上（第１の光ディスク装置）から下（第２の光ディスク装置）、あるいは下（第２の光ディスク装置）から上（第１の光ディスク装置）に向かって、直線的な動きを見せるように表示されるようになっている。
【００６１】
この第２の例によれば、表示部２ｃが各領域２ｂに広い範囲にわたって対応しているので、稼動中の機器の特定が極めて容易である。また、各機器に対応するように区分された領域２ｂに対応してＬＥＤが設けられているので、各機器を特定してその稼動状態を容易に視認することができ、使い勝手が良好である。
【００６２】
【発明の効果】
以上のように本発明によれば、複数の機器の稼動状態を容易に且つ具体的に把握できる使い勝手の良好な電子計算機システム及びその稼動状況表示方法を得ることができる。
【図面の簡単な説明】
【図１】本発明の一実施形態の電子計算機システムを示す斜視図である。
【図２】図１の電子計算機システムの具体的構成図である。
【図３】図１の電子計算機システムの本体部の透視斜視概略図である。
【図４】図３の本体部の上部断面概略図である。
【図５】図３の本体部の下部断面概略図である。
【図６】図３の本体部の上部前面部分の断面図で、（ａ）が扉を閉じた状態を示し、（ｂ）が扉を開放した状態を示す。
【図７】図３の本体部の下部前面部分の断面図で、（ａ）が扉を閉じた状態を示し、（ｂ）が扉を開放した状態を示す。
【図８】図６の変形例の断面図で、（ａ）が扉を閉じた状態を示し、（ｂ）が扉を開放した状態を示す。
【図９】図３の本体部の表示部の説明図で、（ａ）が正面図を示し、（ｂ）が背面図を示す。
【図１０】図３の本体部の表示部を説明するための断面略図である。
【図１１】図３の本体部の表示部の変形例を模式的に示す図である。
【図１２】図３の本体部におけるの表示部の具体的点灯例１を説明する図である。
【図１３】図３の本体部におけるの表示部の具体的点灯例２を説明する図である。
【図１４】図３の本体部におけるの表示部の具体的点灯例３を説明する図である。
【図１５】図３の本体部におけるの表示部の具体的点灯例４を説明する図である。
【図１６】図３の本体部におけるの表示部の具体的点灯例５を説明する図である。
【図１７】図３の本体部におけるの表示部の具体的点灯例６を説明する図である。
【図１８】本発明の第２の実施形態の電子計算機システムにおける本体部の二つの例を示す正面図である。
【符号の説明】
１…電子計算機システム、２…本体部、２ａ…箱体、２ｂ…領域（扉、カバー）、２ｃ…表示部、２ｃ１…レンズ、２ｃ２…ＬＥＤ、２ｄ…電源スイッチ、２ｅ…外部インターフェース、２ｆ…第１の光ディスク装置、２ｇ…第２の光ディスク装置、２ｈ…ＨＤＤ装置、２ｉ…電源、２ｊ…制御部、３…ディスプレイ装置、３ａ…表示画面、３ｂ…スピーカー、３ｃ…リモコン受光部、３ｄ…電源スイッチ、３ｅ…進行状況表示部、３ｆ…外部インターフェース、３ｇ…電源、３ｈ…制御部、４…入力装置、５…キーボード、５ａ…キー、５ｂ…ショートカットキー、５ｃ…外部インターフェース、６…マウス、７…ヘッドホン、８…マイク、９…ネットワーク、１０…ＡＶ機器。
【図１】
2004110671.tif 000003
【図２】
2004110671.tif 000004
【図３】
2004110671.tif 000005
【図４】
2004110671.tif 000006
【図５】
2004110671.tif 000007
【図６】
2004110671.tif 000008
【図７】
2004110671.tif 000009
【図８】
2004110671.tif 000010
【図９】
2004110671.tif 000011
【図１０】
2004110671.tif 000012
【図１１】
2004110671.tif 000013
【図１２】
2004110671.tif 000014
【図１３】
2004110671.tif 000015
【図１４】
2004110671.tif 000016
【図１５】
2004110671.tif 000017
【図１６】
2004110671.tif 000018
【図１７】
2004110671.tif 000019
【図１８】
2004110671.tif 000020